【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
電池パックが装着可能な撮像装置であって、
前記電池パックの残容量と、前記撮像装置が待機状態でない場合の使用容量を示す動作時使用容量とを前記電池パックから受信する受信手段と、
前記残容量と、前記動作時使用容量と、前記電池パックが前記撮像装置に装着されている場合に撮影された画像の枚数を示す撮影枚数とに基づいて撮影可能枚数を算出する撮影可能枚数算出手段とを有することを特徴とする撮像装置。
【請求項２】
前記受信手段はさらに、前記撮影枚数を前記電池パックから受信することを特徴する請求項１に記載の撮像装置。
【請求項３】
前記待機状態は、前記撮像装置の一部に前記電池パックからの電力が供給される低消費電力状態であることを特徴とする請求項１または２に記載の撮像装置。
【請求項４】
前記撮影可能枚数が表示されるように表示手段を制御する表示制御手段をさらに有することを特徴とする請求項１から３のいずれか１項に記載の撮像装置。
【請求項５】
前記電池パックは、前記残容量を算出する残容量算出手段と、
前記撮影枚数をカウントするカウント手段と、
前記動作時使用容量を算出する算出手段と、
前記残容量と、前記動作時使用容量と、前記撮影枚数とを前記撮像装置に送信する送信手段とを有すること特徴とする請求項１から４のいずれか１項に記載の撮像装置。
【請求項６】
電池パックが装着可能な撮像装置であって、
前記電池パックの残容量と、前記電池パックの総容量とを前記電池パックから受信する受信手段と、
前記撮像装置が待機状態である場合に経過した時間を示す待機状態時間を計時する計時手段と、
前記残容量と、前記総容量と、前記待機状態時間と、前記撮像装置が前記待機状態である場合に前記電池パックに流れる消費電流とに基づいて前記撮像装置が前記待機状態でない場合の使用容量を示す動作時使用容量を算出する電池使用容量算出手段と、
前記残容量と、前記動作時使用容量と、前記電池パックが前記撮像装置に装着されている場合に撮影された画像の枚数を示す撮影枚数とに基づいて撮影可能枚数を算出する撮影可能枚数算出手段とを有することを特徴とする撮像装置。
【請求項７】
前記受信手段はさらに、前記撮影枚数を前記電池パックから受信することを特徴する請求項６に記載の撮像装置。
【請求項８】
前記待機状態は、前記撮像装置の一部に前記電池パックからの電力が供給される低消費電力状態であることを特徴とする請求項６または７に記載の撮像装置。
【請求項９】
前記撮影可能枚数が表示されるように表示手段を制御する表示制御手段をさらに有することを特徴とする請求項６から８のいずれか１項に記載の撮像装置。
【請求項１０】
前記電池パックは、前記残容量を算出する残容量算出手段と、
前記撮影枚数をカウントするカウント手段と、
前記残容量と、前記総容量と、前記撮影枚数とを前記撮像装置に送信する送信手段とを有することを特徴とする請求項６から９のいずれか１項に記載の撮像装置。
【請求項１１】
電池パックが装着可能な撮像装置であって、
前記電池パックの残容量と、前記撮像装置が待機状態でない場合の使用容量を示す動作時使用容量とを前記電池パックから受信する受信手段と、
前記残容量と、前記動作時使用容量と、前記電池パックが前記撮像装置に装着されている場合に撮影された動画像の記録時間とに基づいて撮影可能時間を算出する撮影可能時間算出手段とを有することを特徴とする撮像装置。
【請求項１２】
前記受信手段はさらに、前記記録時間を前記電池パックから受信することを特徴する請求項１１に記載の撮像装置。
【請求項１３】
前記待機状態は、前記撮像装置の一部に前記電池パックからの電力が供給される低消費電力状態であることを特徴とする請求項１１または１２に記載の撮像装置。
【請求項１４】
前記撮影可能時間が表示されるように表示手段を制御する表示制御手段をさらに有することを特徴とする請求項１１から１３のいずれか１項に記載の撮像装置。
【請求項１５】
前記電池パックは、前記残容量を算出する残容量算出手段と、
前記記録時間を計時する計時手段と、
前記動作時使用容量を算出する算出手段と、
前記残容量と、前記動作時使用容量と、前記記録時間とを前記撮像装置に送信する送信手段とを有することを特徴とする請求項１１から１４のいずれか１項に記載の撮像装置。
【手続補正２】
【補正対象書類名】明細書
【補正対象項目名】発明の名称
【補正方法】変更
【補正の内容】
【発明の名称】撮像装置
【手続補正３】
【補正対象書類名】明細書
【補正対象項目名】０００１
【補正方法】変更
【補正の内容】
【０００１】
本発明は、撮影可能時間あるいは撮影可能枚数を算出する撮像装置に関する。
【手続補正４】
【補正対象書類名】明細書
【補正対象項目名】０００９
【補正方法】変更
【補正の内容】
【０００９】
本発明は、待機電流による影響を考慮した撮影可能枚数あるいは撮影可能時間を算出できるようにすることを目的とする。
【手続補正５】
【補正対象書類名】明細書
【補正対象項目名】００１０
【補正方法】変更
【補正の内容】
【００１０】
本発明に係る撮像装置は、電池パックが装着可能な撮像装置であって、前記電池パックの残容量と、前記撮像装置が待機状態でない場合の使用容量を示す動作時使用容量とを前記電池パックから受信する受信手段と、前記残容量と、前記動作時使用容量と、前記電池パックが前記撮像装置に装着されている場合に撮影された画像の枚数を示す撮影枚数とに基づいて撮影可能枚数を算出する撮影可能枚数算出手段とを有することを特徴とする。
【手続補正６】
【補正対象書類名】明細書
【補正対象項目名】００１１
【補正方法】変更
【補正の内容】
【００１１】
また、本発明に係る撮像装置は、電池パックが装着可能な撮像装置であって、前記電池パックの残容量と、前記電池パックの総容量とを前記電池パックから受信する受信手段と、前記撮像装置が待機状態である場合に経過した時間を示す待機状態時間を計時する計時手段と、前記残容量と、前記総容量と、前記待機状態時間と、前記撮像装置が前記待機状態である場合に前記電池パックに流れる消費電流とに基づいて前記撮像装置が前記待機状態でない場合の使用容量を示す動作時使用容量を算出する電池使用容量算出手段と、前記残容量と、前記動作時使用容量と、前記電池パックが前記撮像装置に装着されている場合に撮影された画像の枚数を示す撮影枚数とに基づいて撮影可能枚数を算出する撮影可能枚数算出手段とを有することを特徴とする。
【手続補正７】
【補正対象書類名】明細書
【補正対象項目名】００１２
【補正方法】変更
【補正の内容】
【００１２】
また、本発明に係る撮像装置は、電池パックが装着可能な撮像装置であって、前記電池パックの残容量と、前記撮像装置が待機状態でない場合の使用容量を示す動作時使用容量とを前記電池パックから受信する受信手段と、前記残容量と、前記動作時使用容量と、前記電池パックが前記撮像装置に装着されている場合に撮影された動画像の記録時間とに基づいて撮影可能時間を算出する撮影可能時間算出手段とを有することを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
本発明によれば、待機電流による影響を考慮した撮影可能枚数あるいは撮影可能時間を算出することができる。
【手続補正１２】
【補正対象書類名】明細書
【補正対象項目名】０１７４
【補正方法】変更
【補正の内容】
【０１７４】
動作時使用容量＝電池総容量−電池残容量−待機時使用容量          …（３）
撮影可能枚数＝電池残容量÷（動作時使用容量÷レリーズカウンタ）  …（４）
すなわち、まず、（３）式にてデジタルカメラ１００が待機状態ではなく動作状態での電池使用容量を算出する。次に、（４）式でその動作時使用容量をその間の撮影枚数で割り算することにより撮影枚数１枚あたりの使用容量を算出し、その値で電池残容量を割り算して残り撮影可能枚数を算出する。
【手続補正１３】
【補正対象書類名】明細書
【補正対象項目名】０１７７
【補正方法】変更
【補正の内容】
【０１７７】
次に、ステップＳ３１２では、ステップＳ３０２で取得した電池情報、ステップＳ３０９で算出された待機時電池使用容量値、およびステップＳ３１１で算出された動作時使用容量及び撮影可能枚数情報を表示するように表示装置（表示手段）１１４を制御する。これにより、表示装置１１４には、図１１に示すように、電池に関する容量情報、撮影枚数情報が表示される。なお、図１１の表示例では、電池残容量、動作時使用容量、待機時使用容量についてそれぞれ番号１の電池総容量に対する％表示としているが、上記電池情報のように絶対値で表示しても良い。また、セグメントタイプの表示装置１１４では表示能力に限りがある場合もあるので、同様な表示を画像モニター１１１に表示してもよい。